【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
被験体において気管支閉鎖をもたらすことにより肺容量を減少させる方法において使用するための組成物であって、
前記気管支閉鎖をもたらすために、前記被験体の肺の少なくとも一部を前記組成物で満たすための有効量、および標的エリアの生理的条件下で前記標的エリアにハイドロゲルバリアを形成するための有効濃度で、約７アミノ酸〜３２アミノ酸を含む自己組織化ペプチドを含み、ここで、前記方法が、
前記被験体の肺の標的エリアに送達デバイスを導入するステップと、
前記送達デバイスの末端を前記気管支閉鎖が望まれる前記標的エリア内に配置するステップと、
前記組成物を前記送達デバイスを通じて前記標的エリアに投与するステップと、
前記送達デバイスを前記標的エリアから除去するステップと
を含む、組成物。
【請求項２】
前記方法が、肺葉または肺葉の一部を前記標的エリアとして同定するステップをさらに含む、請求項１に記載の組成物。
【請求項３】
前記送達デバイスの末端を前記標的エリア内に配置するステップが、気管内チューブを前記標的エリア内に配置することを含む、請求項１に記載の組成物。
【請求項４】
前記送達デバイスの末端を前記標的エリア内に配置するステップが、前記送達デバイスを気管および主気管支を通して前記標的エリアの遠位端に挿入することを含む、請求項２に記載の組成物。
【請求項５】
前記方法が、前記組成物の第１の体積を投与した後に前記送達デバイスを所定の距離後退させるステップをさらに含む、請求項１に記載の組成物。
【請求項６】
前記方法が、前記標的の体積が満たされるまで前記投与と前記後退を繰り返すステップをさらに含む、請求項５に記載の組成物。
【請求項７】
前記方法が、気管内チューブおよびカテーテルを使用して前記組成物の逆流を予防するステップをさらに含む、請求項５に記載の組成物。
【請求項８】
前記ハイドロゲルバリアが、前記気管支の主内腔と副内腔の両方に浸透する、請求項１に記載の組成物。
【請求項９】
前記ハイドロゲルバリアが約５分未満で形成される、請求項１に記載の組成物。
【請求項１０】
前記方法が、前記組成物を調製するステップをさらに含む、請求項１に記載の組成物。
【請求項１１】
前記方法が、前記組成物のｐＨを調整するステップをさらに含む、請求項１０に記載の組成物。
【請求項１２】
前記有効量が標的エリア１ｃｍ２当たりおよそ１ｍＬである、請求項１に記載の組成物。
【請求項１３】
前記気管支閉鎖の治療を可能にするために有効な量が、約０．１ｍＬ〜約１０ｍＬの範囲の体積を含む、請求項１に記載の組成物。
【請求項１４】
前記組成物が、細胞および／または薬物を実質的に含まない、請求項１に記載の組成物。
【請求項１５】
前記自己組織化ペプチドが（ＲＡＤＡ）４（配列番号１）、（ＩＥＩＫ）３Ｉ（配列番号２）、および（ＫＬＤＬ）３（配列番号３）からなる群より選択される、請求項１に記載の組成物。
【請求項１６】
肺の漏出の治療を可能にするために有効な濃度が、約０．１重量／体積（ｗ／ｖ）パーセント〜約３ｗ／ｖパーセントの範囲の自己組織化ペプチド濃度を含む、請求項１５に記載の組成物。
【請求項１７】
前記自己組織化ペプチドを塩類溶液に添加することにより調製される、請求項１６に記載の組成物。
【請求項１８】
前記自己組織化ペプチドのペプチド粉末に水を添加して、水性ペプチド溶液を提供すること、
前記水性ペプチド溶液に塩類溶液を添加すること、および
前記塩類溶液と前記水性ペプチド溶液を混合すること
により調製される、請求項１６に記載の組成物。
【請求項１９】
（ＲＡＤＡ）４（配列番号１）を約０．５重量／体積（ｗ／ｖ）パーセントの濃度で含む、請求項１６に記載の組成物。
【請求項２０】
約０．１２５Ｍの塩化カルシウム濃度を含む、請求項１９に記載の組成物。
【請求項２１】
約２５Ｐａの貯蔵弾性率を有する、請求項２０に記載の組成物。
【請求項２２】
約０．００５Ｍから約１Ｍの間の塩濃度を有する、請求項１６に記載の組成物。
【請求項２３】
約０．１２５Ｍから約０．５００Ｍの間の塩濃度を有する、請求項２２に記載の組成物。
【請求項２４】
造影剤を含む溶液をさらに含む、請求項１６に記載の組成物。
【請求項２５】
約２．５〜約４．０のｐＨを有する、請求項１６に記載の組成物。
【請求項２６】
前記自己組織化ペプチドを緩衝液に添加することおよび緩衝液を前記組成物に添加することにより調製される、請求項１７に記載の組成物。
【請求項２７】
前記緩衝液が、少なくとも２種の塩を含む、請求項２６に記載の組成物。
【請求項２８】
少なくとも１種の生物学的に活性な薬剤をさらに含む、請求項１に記載の組成物。
【請求項２９】
被験体において気管支閉鎖をもたらすためのキットであって、
前記気管支閉鎖をもたらすために生理的条件下でハイドロゲルバリアを形成するための有効量の約７アミノ酸〜約３２アミノ酸を含む自己組織化ペプチドと、
前記被験体の肺の標的エリアに前記自己組織化ペプチドを投与するための指示と
を含む、キット。
【請求項３０】
前記自己組織化ペプチドが、自己組織化ペプチドを含む溶液および自己組織化ペプチドを含む溶液として調製される粉末のうちの一方として提供される、請求項２９に記載のキット。
【請求項３１】
前記自己組織化ペプチドを前記肺の標的エリアに導入するための送達デバイスをさらに含む、請求項２９に記載のキット。
【請求項３２】
前記自己組織化ペプチドが（ＲＡＤＡ）４（配列番号１）、（ＩＥＩＫ）３Ｉ（配列番号２）、および（ＫＬＤＬ）３（配列番号３）からなる群より選択される、請求項２９に記載のキット。
【請求項３３】
前記溶液が、前記気管支閉鎖をもたらすために生理的条件下でハイドロゲルバリアを形成するための有効濃度で前記自己組織化ペプチドを含み、前記気管支閉鎖をもたらすための前記有効濃度が、約０．１重量／体積（ｗ／ｖ）パーセント〜約３ｗ／ｖパーセントの範囲の自己組織化ペプチドの濃度を含む、請求項２９に記載のキット。
【請求項３４】
前記自己組織化ペプチドを含む溶液が、約０．００５Ｍから約０．５００Ｍの間の塩濃度を含む、請求項３０に記載のキット。
【請求項３５】
前記自己組織化ペプチドを含む前記溶液が、約２５Ｐａから約６００Ｐａの間の貯蔵弾性率を有する、請求項３４に記載のキット。
【請求項３６】
造影剤を含む溶液をさらに含む、請求項２９に記載のキット。
【請求項３７】
前記自己組織化ペプチドを含む溶液が、約２．５〜約４．０のｐＨを有する、請求項２９に記載のキット。
【請求項３８】
前記キットまたは前記自己組織化ペプチドを含む溶液の一方が少なくとも２種の塩を含む緩衝液を含む、請求項２９に記載のキット。
【請求項３９】
少なくとも１種の生物学的に活性な薬剤をさらに含む、請求項２９に記載のキット。
【請求項４０】
前記溶液が、細胞および薬物を実質的に含まない、請求項２９に記載のキット。
【請求項４１】
スクロース溶液をさらに含む、請求項２９に記載のキット。
【請求項４２】
気管内チューブに付着させたカテーテル様バルーンを含む気管内チューブ組合せツールをさらに含む、請求項２９に記載のキット。
【請求項４３】
被験体において気管支閉鎖をもたらすことにより肺容量を減少させる方法において使用されるように構成される送達デバイスであって、前記方法が、
前記被験体の肺の標的エリアに前記送達デバイスを導入するステップと、
前記送達デバイスの末端を前記気管支閉鎖が望まれる前記標的エリア内に配置するステップと、
約７アミノ酸〜約３２アミノ酸を含む自己組織化ペプチドを含む溶液を、前記気管支閉鎖をもたらすために、前記被験体の肺の少なくとも一部を前記溶液で満たすための有効量、および前記標的エリアの生理的条件下でハイドロゲルバリアを形成するための濃度で、前記送達デバイスを通じて前記標的エリアに投与するステップと、
前記送達デバイスを前記標的エリアから除去するステップと
を含む、送達デバイス。
【手続補正２】
【補正対象書類名】明細書
【補正対象項目名】０００３
【補正方法】変更
【補正の内容】
【０００３】
１つまたは複数の実施形態によると、被験体において気管支閉鎖をもたらす方法が開示される。本方法は、被験体の肺の標的エリアに送達デバイスを導入するステップと、送達デバイスの末端を気管支閉鎖が望まれる標的エリア内に配置するステップと、気管支閉鎖をもたらすために、有効量および有効濃度の約７アミノ酸〜３２アミノ酸を含む自己組織化ペプチドを含む溶液を送達デバイスを通じて標的エリアに投与して標的エリアの生理的条件下でハイドロゲルバリアを形成するステップと、送達デバイスを標的エリアから除去するステップとを含み得る。
本発明は、例えば以下の項目を提供する。
（項目１）
被験体において気管支閉鎖をもたらす方法であって、
前記被験体の肺の標的エリアに送達デバイスを導入するステップと、
前記送達デバイスの末端を前記気管支閉鎖が望まれる前記標的エリア内に配置するステップと、
前記気管支閉鎖をもたらすために、有効量および有効濃度の約７アミノ酸〜３２アミノ酸を含む自己組織化ペプチドを含む溶液を前記送達デバイスを通じて前記標的エリアに投与して前記標的エリアの生理的条件下でハイドロゲルバリアを形成するステップと、
前記送達デバイスを前記標的エリアから除去するステップと
を含む、方法。
（項目２）
前記送達デバイスを導入するステップの前に、前記標的エリアを含む領域を可視化するステップをさらに含む、項目１に記載の方法。
（項目３）
前記送達デバイスを前記標的エリアから除去するステップの後に、前記標的エリアを含む領域を可視化するステップをさらに含む、項目１に記載の方法。
（項目４）
前記送達デバイスを除去するステップの後に、前記標的エリアをモニタリングするステップをさらに含む、項目１に記載の方法。
（項目５）
肺葉または肺葉の一部を前記標的エリアとして同定するステップをさらに含む、項目１に記載の方法。
（項目６）
前記送達デバイスの末端を前記標的エリア内に配置するステップが、気管内チューブを前記標的エリア内に配置することを含む、項目１に記載の方法。
（項目７）
前記送達デバイスの末端を前記標的エリア内に配置するステップが、前記送達デバイスを気管および主気管支を通して前記標的エリアの遠位端に挿入することを含む、項目５に記載の方法。
（項目８）
前記溶液を投与するステップが、前記溶液を単回用量で投与することを含む、項目１に記載の方法。
（項目９）
前記溶液を投与するステップが、前記溶液を少なくとも２回の用量で投与することを含む、項目１に記載の方法。
（項目１０）
前記少なくとも２回の用量の間に前記送達デバイスを後退させる、項目６に記載の方法。
（項目１１）
溶液の第１の体積を投与した後に前記送達デバイスを所定の距離後退させるステップをさらに含む、項目１に記載の方法。
（項目１２）
前記標的の体積が満たされるまで前記投与と前記後退を繰り返すステップをさらに含む、項目１１に記載の方法。
（項目１３）
前記標的エリアからの前記溶液の逆流を観察するステップをさらに含む、項目１２に記載の方法。
（項目１４）
前記溶液の前記逆流の前記観察に基づいて前記送達デバイスを前記標的エリアから除去するステップをさらに含む、項目１３に記載の方法。
（項目１５）
気管内チューブおよびカテーテルを使用して前記溶液の逆流を予防するステップをさらに含む、項目１１に記載の方法。
（項目１６）
前記ハイドロゲルバリアが、気管支の主内腔と副内腔の両方に浸透する、項目１に記載の方法。
（項目１７）
前記ハイドロゲルバリアが約５分未満で形成される、項目１に記載の方法。
（項目１８）
前記ハイドロゲルバリアが約３分未満で形成される、項目８に記載の方法。
（項目１９）
前記ハイドロゲルバリアが約１分未満で形成される、項目９に記載の方法。
（項目２０）
前記ハイドロゲルバリアが約２秒から約３０秒の間に形成される、項目１に記載の方法。
（項目２１）
前記自己組織化ペプチドを含む前記溶液を調製するステップをさらに含む、項目１に記載の方法。
（項目２２）
気管支閉鎖をもたらす必要性を決定するために前記被験体を評価するステップ、および前記評価するステップに基づいて前記溶液を調製するステップをさらに含む、項目１に記載の方法。
（項目２３）
前記溶液のｐＨを調整するステップをさらに含む、項目２１または２２に記載の方法。
（項目２４）
前記溶液のｐＨを上昇させるステップをさらに含む、項目２１または２２に記載の方法。
（項目２５）
前記有効量および前記有効濃度の少なくとも一方が、前記気管支閉鎖の前記標的エリアの寸法に一部基づく、項目１に記載の方法。
（項目２６）
前記有効量が標的エリア１ｃｍ２当たりおよそ１ｍＬである、項目２５に記載の方法。
（項目２７）
前記気管支閉鎖の治療を可能にするために有効な量が、約０．１ｍＬ〜約１０ｍＬの範囲の体積を含む、項目２５に記載の方法。
（項目２８）
前記溶液が、細胞を実質的に含まない、項目１に記載の方法。
（項目２９）
前記溶液が、薬物を実質的に含まない、項目１に記載の方法。
（項目３０）
外科手技後に前記溶液を投与するステップをさらに含む、項目１に記載の方法。
（項目３１）
前記被験体が、前記自己組織化ペプチドを含む前記溶液を投与するステップの前に慢性閉塞性肺疾患（ＣＯＰＤ）と診断されている、項目１に記載の方法。
（項目３２）
前記自己組織化ペプチドが（ＲＡＤＡ）４（配列番号１）、（ＩＥＩＫ）３Ｉ（配列番号２）、および（ＫＬＤＬ）３（配列番号３）からなる群より選択される、項目１に記載の方法。
（項目３３）
肺の漏出の治療を可能にするために有効な濃度が、約０．１重量／体積（ｗ／ｖ）パーセント〜約３ｗ／ｖパーセントの範囲の自己組織化ペプチド濃度を含む、項目３２に記載の方法。
（項目３４）
肺の漏出の治療を可能にするために有効な濃度が、１ｗ／ｖパーセント濃度の（ＲＡＤＡ）４（配列番号１）である、項目３２に記載の方法。
（項目３５）
前記自己組織化ペプチドを含む前記溶液を調製するステップが、前記自己組織化ペプチドを塩類溶液に添加することを含む、項目３３に記載の方法。
（項目３６）
前記自己組織化ペプチドを含む前記溶液を調製するステップが、
前記自己組織化ペプチドのペプチド粉末に水を添加して水性ペプチド溶液を提供することと、
前記水性ペプチド溶液に塩類溶液を添加することと、
前記塩類溶液と前記水性ペプチド溶液を混合することと
を含む、項目３３に記載の方法。
（項目３７）
前記塩類溶液が、アンモニウムイオン、鉄イオン、マグネシウムイオン、カリウムイオン、ピリジニウムイオン、第四級アンモニウムイオン、ナトリウムイオン、カリウムイオン、およびカルシウムイオンからなる群より選択される少なくとも１つの陽イオンを含む、項目３５または３６に記載の方法。
（項目３８）
前記塩類溶液が、塩化物イオン、硫酸イオン、酢酸イオン、炭酸イオン、塩化物イオン、クエン酸イオン、シアン化物イオン、フッ化物イオン、硫酸イオン、硝酸イオン、亜硝酸イオン、およびリン酸イオンからなる群より選択される少なくとも１つの陰イオンを含む、項目３５または３６に記載の方法。
（項目３９）
前記塩類溶液が、塩化カルシウム、塩化ナトリウム、および塩化カリウムのうちの少なくとも１つを含む、項目３７に記載の方法。
（項目４０）
前記自己組織化ペプチドを含む前記溶液が（ＲＡＤＡ）４（配列番号１）を約０．５重量／体積（ｗ／ｖ）パーセントの濃度で含む、項目３３に記載の方法。
（項目４１）
前記自己組織化ペプチドを含む前記溶液が約０．１２５Ｍの塩化カルシウム濃度を含む、項目４０に記載の方法。
（項目４２）
前記自己組織化ペプチドを含む前記溶液が約２５Ｐａの貯蔵弾性率を有する、項目４１に記載の方法。
（項目４３）
前記自己組織化ペプチドを含む前記溶液が約０．２５０Ｍの塩化カルシウム濃度を含む、項目４０に記載の方法。
（項目４４）
前記自己組織化ペプチドを含む前記溶液が約４４Ｐａの貯蔵弾性率を有する、項目４３に記載の方法。
（項目４５）
前記自己組織化ペプチドを含む前記溶液が約０．５００Ｍの塩化カルシウム濃度を含む、項目４０に記載の方法。
（項目４６）
前記自己組織化ペプチドを含む前記溶液が約５２Ｐａの貯蔵弾性率を有する、項目４５に記載の方法。
（項目４７）
前記自己組織化ペプチドを含む前記溶液が（ＲＡＤＡ）４（配列番号１）を約２．５重量／体積（ｗ／ｖ）パーセントの濃度で含む、項目３３に記載の方法。
（項目４８）
前記自己組織化ペプチドを含む前記溶液が約０．１２５Ｍの塩化カルシウム濃度を含む、項目４７に記載の方法。
（項目４９）
前記自己組織化ペプチドを含む前記溶液が約６００Ｐａの貯蔵弾性率を有する、項目４８に記載の方法。
（項目５０）
前記自己組織化ペプチドを含む前記溶液が約０．００５Ｍから約１Ｍの間の塩濃度を有する、項目３３に記載の方法。
（項目５１）
前記自己組織化ペプチドを含む前記溶液が約０．１２５Ｍから約０．５００Ｍの間の塩濃度を有する、項目５０に記載の方法。
（項目５２）
前記自己組織化ペプチドを含む前記溶液が約０．２５Ｍの塩濃度を有する、項目５１に記載の方法。
（項目５３）
塩化ナトリウム、塩化カリウム、塩化カルシウム、および炭酸水素ナトリウムを含む溶液をさらに含む、項目３３に記載の方法。
（項目５４）
造影剤を含む溶液をさらに含む、項目３３に記載の方法。
（項目５５）
前記造影剤が、硫酸イオンおよびナトリウムイオンを含む、項目５４に記載の方法。
（項目５６）
前記溶液が約２．５〜約４．０のｐＨを有する、項目３３に記載の方法。
（項目５７）
前記溶液が約３．５のｐＨを有し、前記自己組織化ペプチドが（ＲＡＤＡ）４（配列番号１）および（ＫＬＤＬ）３（配列番号３）のうちの１つである、項目５６に記載の方法。
（項目５８）
前記溶液が約３．７のｐＨを有し、前記自己組織化ペプチドが（ＩＥＩＫ）３Ｉ（配列番号２）である、項目５６に記載の方法。
（項目５９）
前記自己組織化ペプチドを含む前記溶液を調製するステップが、前記自己組織化ペプチドを緩衝液に添加することおよび緩衝液を前記溶液に添加することのうちの一方を含む、項目３５または３６に記載の方法。
（項目６０）
前記緩衝液が、少なくとも２種の塩を含む、項目５９に記載の方法。
（項目６１）
前記緩衝液がｐＨ７．２である、項目６０に記載の方法。
（項目６２）
前記緩衝液がｐＨ７．４である、項目６０に記載の方法。
（項目６３）
前記緩衝液がアルカリ緩衝液である、項目５９に記載の方法。
（項目６４）
前記溶液が、約０．１５Ｍの塩化ナトリウム、塩化カリウム、塩化マグネシウム、および塩化カルシウムのうちの少なくとも１つで緩衝化されている、項目５９に記載の方法。
（項目６５）
前記緩衝液が約０．６Ｍから約１．２Ｍの間の塩を含み、前記自己組織化ペプチドが（ＲＡＤＡ）４（配列番号１）である、項目６３に記載の方法。
（項目６６）
前記緩衝液が約０．０２Ｍから約０．０４Ｍの間の塩を含み、前記自己組織化ペプチドが（ＩＥＩＫ）３Ｉ（配列番号２）である、項目６３に記載の方法。
（項目６７）
前記緩衝液が約０．１Ｍから約０．４Ｍの間の塩を含み、前記自己組織化ペプチドが（ＫＬＤＬ）３（配列番号３）である、項目６３に記載の方法。
（項目６８）
前記溶液に所定の機械的強度をもたらすための塩を選択するステップをさらに含む、項目３３に記載の方法。
（項目６９）
前記溶液に前記所定の機械的強度がもたらされるように前記塩の濃度を選択するステップをさらに含む、項目６８に記載の方法。
（項目７０）
前記溶液に所定のイオン強度をもたらすための塩を選択するステップをさらに含む、項目３３に記載の方法。
（項目７１）
前記溶液に前記所定のイオン強度がもたらされるように前記塩の濃度を選択するステップをさらに含む、項目７０に記載の方法。
（項目７２）
前記溶液に所定のｐＨをもたらすための塩を選択するステップをさらに含む、項目３３に記載の方法。
（項目７３）
前記溶液に前記所定のｐＨがもたらされるように前記塩の濃度を選択するステップをさらに含む、項目７２に記載の方法。
（項目７４）
前記被験体が哺乳動物である、項目１に記載の方法。
（項目７５）
前記被験体がヒトである、項目７４に記載の方法。
（項目７６）
前記自己組織化ペプチドが、疎水性アミノ酸と親水性アミノ酸が交互に現れる約１２〜約１６アミノ酸を含む、項目１に記載の方法。
（項目７７）
前記溶液が、少なくとも１種の生物学的に活性な薬剤をさらに含む、項目１に記載の方法。
（項目７８）
被験体において気管支閉鎖をもたらすためのキットであって、
前記気管支閉鎖をもたらすために生理的条件下でハイドロゲルバリアを形成するための有効量の約７アミノ酸〜約３２アミノ酸を含む自己組織化ペプチドと、
前記被験体の肺の標的エリアに前記自己組織化ペプチドを投与するための指示と
を含む、キット。
（項目７９）
前記自己組織化ペプチドが、自己組織化ペプチドを含む溶液および自己組織化ペプチドを含む溶液として調製される粉末のうちの一方として提供される、項目７８に記載のキット。
（項目８０）
前記自己組織化ペプチドが、自己組織化ペプチドを含む溶液として提供される、項目７９に記載のキット。
（項目８１）
前記自己組織化ペプチドが、自己組織化ペプチドを含む溶液として調製される粉末として提供される、項目７８に記載のキット。
（項目８２）
前記気管支閉鎖をもたらすために生理的条件下でハイドロゲルバリアを形成するための有効濃度を有する自己組織化ペプチドを含む溶液を調製するための指示をさらに含む、項目７８に記載のキット。
（項目８３）
前記自己組織化ペプチドを前記肺の標的エリアに導入するための送達デバイスをさらに含む、項目７８に記載のキット。
（項目８４）
前記自己組織化ペプチドが（ＲＡＤＡ）４（配列番号１）、（ＩＥＩＫ）３Ｉ（配列番号２）、および（ＫＬＤＬ）３（配列番号３）からなる群より選択される、項目７８に記載のキット。
（項目８５）
前記気管支閉鎖をもたらすために有効な濃度が、約０．１重量／体積（ｗ／ｖ）パーセント〜約３ｗ／ｖパーセントの範囲の自己組織化ペプチドの濃度を含む、項目８２に記載のキット。
（項目８６）
塩類溶液をさらに含む、項目７８に記載のキット。
（項目８７）
前記塩類溶液と前記自己組織化ペプチドを含む溶液およびペプチド粉末のうちの１つとを組み合わせるための指示をさらに含む、項目８６に記載のキット。
（項目８８）
前記塩類溶液が、アンモニウムイオン、鉄イオン、マグネシウムイオン、カリウムイオン、ピリジニウムイオン、第四級アンモニウムイオン、ナトリウムイオン、カリウムイオン、およびカルシウムイオンからなる群より選択される少なくとも１つの陽イオンを含む、項目８６に記載のキット。
（項目８９）
前記塩類溶液が、塩化物イオン、硫酸イオン、酢酸イオン、炭酸イオン、塩化物イオン、クエン酸イオン、シアン化物イオン、フッ化物イオン、硫酸イオン、硝酸イオン、亜硝酸イオン、およびリン酸イオンからなる群より選択される少なくとも１つの陰イオンを含む、項目８６に記載のキット。
（項目９０）
前記塩類溶液が、塩化カルシウム、塩化ナトリウム、および塩化カリウムのうちの少なくとも１つを含む、項目８８に記載のキット。
（項目９１）
前記自己組織化ペプチドを含む溶液が、約０．００５Ｍから約０．５００Ｍの間の塩濃度を含む、項目８８に記載のキット。
（項目９２）
前記自己組織化ペプチドを含む前記溶液が、約２５Ｐａから約６００Ｐａの間の貯蔵弾性率を有する、項目９１に記載のキット。
（項目９３）
前記自己組織化ペプチドを含む溶液が、約０．２５Ｍの塩濃度を有する、項目８８に記載のキット。
（項目９４）
塩化ナトリウム、塩化カリウム、塩化カルシウム、および炭酸水素ナトリウムを含む溶液をさらに含む、項目７８に記載のキット。
（項目９５）
造影剤を含む溶液をさらに含む、項目７８に記載のキット。
（項目９６）
前記造影剤が、硫酸イオンおよびナトリウムイオンを含む、項目９５に記載のキット。
（項目９７）
前記自己組織化ペプチドを含む溶液が、約２．５〜約４．０のｐＨを有する、項目７８に記載のキット。
（項目９８）
前記自己組織化ペプチドを含む前記溶液が約３．５のｐＨを有し、前記自己組織化ペプチドが（ＲＡＤＡ）４（配列番号１）および（ＫＬＤＬ）３（配列番号３）のうちの１つである、項目９７に記載のキット。
（項目９９）
前記自己組織化ペプチドを含む前記溶液が約３．７のｐＨを有し、前記自己組織化ペプチドが（ＩＥＩＫ）３Ｉ（配列番号２）である、項目９７に記載のキット。
（項目１００）
前記キットまたは前記自己組織化ペプチドを含む溶液の一方が緩衝液を含む、項目７８に記載のキット。
（項目１０１）
前記緩衝液が少なくとも２種の塩を含む、項目１００に記載のキット。
（項目１０２）
前記緩衝液がｐＨ７．２である、項目１０１に記載のキット。
（項目１０３）
前記緩衝液がｐＨ７．４である、項目１０１に記載のキット。
（項目１０４）
前記緩衝液がアルカリ緩衝液である、項目１００に記載のキット。
（項目１０５）
前記溶液が、約０．１５Ｍの塩化ナトリウム、塩化カリウム、塩化マグネシウム、および塩化カルシウムのうちの少なくとも１つで緩衝化されている、項目１００に記載のキット。
（項目１０６）
前記緩衝液が約０．６Ｍから約１．２Ｍの間の塩を含み、前記自己組織化ペプチドが（ＲＡＤＡ）４（配列番号１）である、項目１００に記載のキット。
（項目１０７）
前記緩衝液が約０．０２Ｍから約０．０４Ｍの間の塩を含み、前記自己組織化ペプチドが（ＩＥＩＫ）３Ｉ（配列番号２）である、項目１００に記載のキット。
（項目１０８）
前記緩衝液が約０．１Ｍから約０．４Ｍの間の塩を含み、前記自己組織化ペプチドが（ＫＬＤＬ）３（配列番号３）である、項目１００に記載のキット。
（項目１０９）
前記被験体が哺乳動物である、項目７８に記載のキット。
（項目１１０）
前記被験体がヒトである、項目１０９に記載のキット。
（項目１１１）
前記自己組織化ペプチドが、疎水性アミノ酸と親水性アミノ酸が交互に現れる約１２〜約１６アミノ酸を含む、項目７８に記載のキット。
（項目１１２）
少なくとも１種の生物学的に活性な薬剤をさらに含む、項目７８に記載のキット。
（項目１１３）
溶液が、細胞および薬物を実質的に含まない、項目７８に記載のキット。
（項目１１４）
スクロース溶液をさらに含む、項目７８に記載のキット。
（項目１１５）
気管支閉鎖をもたらすために生理的条件下でハイドロゲルバリアを形成することにおいて使用するための有効量および有効濃度の約７アミノ酸〜３２アミノ酸を含む自己組織化ペプチドを含む組成物。
（項目１１６）
前記自己組織化ペプチドが、（ＲＡＤＡ）４（配列番号１）、（ＩＥＩＫ）３Ｉ（配列番号２）、および（ＫＬＤＬ）３（配列番号３）からなる群より選択される、項目１１５に記載の組成物。
（項目１１７）
前記気管支閉鎖をもたらすために有効な濃度が、約０．１重量／体積（ｗ／ｖ）パーセント〜約３ｗ／ｖパーセントの範囲の自己組織化ペプチド濃度を含む、項目１１６に記載の組成物。
（項目１１８）
細胞を実質的に含まない、項目１１５に記載の組成物。
（項目１１９）
薬物を実質的に含まない、項目１１５に記載の組成物。
（項目１２０）
アンモニウムイオン、鉄イオン、マグネシウムイオン、カリウムイオン、ピリジニウムイオン、第四級アンモニウムイオン、ナトリウムイオン、カリウムイオン、およびカルシウムイオンからなる群より選択される少なくとも１つの陽イオンをさらに含む、項目１１５に記載の組成物。
（項目１２１）
塩化物イオン、硫酸イオン、酢酸イオン、炭酸イオン、塩化物イオン、クエン酸イオン、シアン化物イオン、フッ化物イオン、硫酸イオン、硝酸イオン、亜硝酸イオン、およびリン酸イオンからなる群より選択される少なくとも１つの陰イオンをさらに含む、項目１１５に記載の組成物。
（項目１２２）
塩化カルシウム、塩化ナトリウム、および塩化カリウムのうちの少なくとも１つを含む、項目１２０に記載の組成物。
（項目１２３）
（ＲＡＤＡ）４（配列番号１）を約０．５重量／体積（ｗ／ｖ）パーセントの濃度で含む、項目１１７に記載の組成物。
（項目１２４）
約０．１２５Ｍの塩化カルシウム濃度を含む、項目１２３に記載の組成物。
（項目１２５）
約２５Ｐａの貯蔵弾性率を有する、項目１２４に記載の組成物。
（項目１２６）
約０．２５０Ｍの塩化カルシウム濃度を含む、項目１２３に記載の組成物。
（項目１２７）
約４４Ｐａの貯蔵弾性率を有する、項目１２６に記載の組成物。
（項目１２８）
約０．５００Ｍの塩化カルシウム濃度を含む、項目１２４に記載の組成物。
（項目１２９）
約５２Ｐａの貯蔵弾性率を有する、項目１２８に記載の組成物。
（項目１３０）
（ＲＡＤＡ）４（配列番号１）を約２．５重量／体積（ｗ／ｖ）パーセントの濃度で含む、項目１１７に記載の組成物。
（項目１３１）
約０．１２５Ｍの塩化カルシウム濃度を含む、項目１２７に記載の組成物。
（項目１３２）
約６００Ｐａの貯蔵弾性率を有する、項目１３１に記載の組成物。
（項目１３３）
約０．００５Ｍから約１Ｍの間の塩濃度を含む、項目１２０に記載の組成物。
（項目１３４）
約０．１２５Ｍから約０．５００Ｍの間の塩濃度を含む、項目１３３に記載の組成物。
（項目１３５）
約０．２５Ｍの塩濃度を含む、項目１３４に記載の組成物。
（項目１３６）
塩化ナトリウム、塩化カリウム、塩化カルシウム、および炭酸水素ナトリウムを含む溶液をさらに含む、項目１１５に記載の組成物。
（項目１３７）
造影剤を含む溶液をさらに含む、項目１１５に記載の組成物。
（項目１３８）
前記造影剤が、硫酸イオンおよびナトリウムイオンを含む、項目１３７に記載の組成物。
（項目１３９）
約２．５〜約４．０のｐＨを有する、項目１１５に記載の組成物。
（項目１４０）
溶液が約３．５のｐＨを有し、前記自己組織化ペプチドが（ＲＡＤＡ）４（配列番号１）および（ＫＬＤＬ）３（配列番号３）のうちの１つである、項目１３９に記載の組成物。
（項目１４１）
溶液が約３．７のｐＨを有し、前記自己組織化ペプチドが（ＩＥＩＫ）３Ｉ（配列番号２）である、項目１３９に記載の組成物。
（項目１４２）
緩衝液をさらに含む、項目１１６に記載の組成物。
（項目１４３）
前記緩衝液が少なくとも２種の塩を含む、項目１４２に記載の組成物。
（項目１４４）
前記緩衝液がｐＨ７．２である、項目１４３に記載の組成物。
（項目１４５）
前記緩衝液がｐＨ７．４である、項目１４３に記載の組成物。
（項目１４６）
前記緩衝液がアルカリ緩衝液である、項目１４２に記載の組成物。
（項目１４７）
塩化ナトリウム、塩化カリウム、塩化マグネシウム、および塩化カルシウムのうちの少なくとも１つを約０．１５Ｍで含む、項目１１６に記載の組成物。
（項目１４８）
約０．６Ｍから約１．２Ｍの間の塩を含み、前記自己組織化ペプチドが（ＲＡＤＡ）４（配列番号１）である、項目１４７に記載の組成物。
（項目１４９）
約０．０２Ｍから約０．０４Ｍの間の塩を含み、前記自己組織化ペプチドが（ＩＥＩＫ）３Ｉ（配列番号２）である、項目１４７に記載の組成物。
（項目１５０）
約０．１Ｍから約０．４Ｍの間の塩を含み、前記自己組織化ペプチドが（ＫＬＤＬ）３（配列番号３）である、項目１４７に記載の組成物。
（項目１５１）
被験体において前記気管支閉鎖をもたらすために使用する、項目１１５に記載の組成物。
（項目１５２）
前記被験体が哺乳動物である、項目１５１に記載の組成物。
（項目１５３）
前記被験体がヒトである、項目１５２に記載の組成物。
（項目１５４）
前記自己組織化ペプチドが、疎水性アミノ酸と親水性アミノ酸が交互に現れる約１２〜約１６アミノ酸を含む、項目１１５に記載の組成物。
（項目１５５）
少なくとも１種の生物学的に活性な薬剤をさらに含む、項目１１５に記載の組成物。
（項目１５６）
被験体において気管支閉鎖をもたらすことを容易にする方法であって、
前記気管支閉鎖をもたらすために肺の標的エリアにおける生理的条件下でハイドロゲルバリアを形成するための有効量および有効濃度の約７アミノ酸〜約３２アミノ酸を含む自己組織化ペプチドを含む溶液を提供するステップと、
前記溶液を前記肺の前記標的エリアに、前記標的エリア内に配置した送達デバイスを通じて前記溶液を導入することによって投与するための指示を提供するステップと
を含む、方法。
（項目１５７）
前記気管支閉鎖が提供される前記標的エリアの少なくとも一部を含む領域を可視化するための指示を提供するステップをさらに含む、項目１５６に記載の方法。
（項目１５８）
前記標的エリアの少なくとも一部を含む前記領域を可視化するための指示を提供するステップが、
前記気管支閉鎖をもたらすために前記肺の前記標的エリアを同定するステップ；
前記送達デバイスを導入するステップ；
前記送達デバイスの末端を前記標的エリア内に配置するステップ；
前記溶液を投与するステップ；
前記送達デバイスを前記肺から除去するステップ；および
前記送達デバイスを除去するステップの後に前記気管支閉鎖をモニタリングするステップ、
のうちの少なくとも１つの間に前記領域を可視化するための指示を提供することを含む、項目１５７に記載の方法。
（項目１５９）
前記溶液を投与するステップの後約１分〜約５分の時間内に前記領域を可視化するための指示を提供するステップをさらに含む、項目１５８に記載の方法。
（項目１６０）
前記肺の前記標的エリアの寸法に一部基づいて前記有効量および前記有効濃度の少なくとも一方を調製するための指示を提供するステップをさらに含む、項目１５６に記載の方法。
（項目１６１）
前記有効量が標的エリア１ｃｍ２当たりおよそ１ｍＬである、項目１６０に記載の方法。
（項目１６２）
前記自己組織化ペプチドが、（ＲＡＤＡ）４（配列番号１）、（ＩＥＩＫ）３Ｉ（配列番号２）、および（ＫＬＤＬ）３（配列番号３）からなる群より選択される、項目１５６に記載の方法。
（項目１６３）
前記気管支閉鎖をもたらすために有効な濃度が、約０．１重量／体積パーセント〜約３重量／体積パーセントペプチドの範囲の濃度を含む、項目１６２に記載の方法。
（項目１６４）
前記気管支閉鎖をもたらすために有効な量が、約０．１ｍＬ〜約１０ｍＬの範囲の体積を含む、項目１６３に記載の方法。
（項目１６５）
前記標的エリアの周囲のエリアをモニタリングするための指示を提供するステップをさらに含む、項目１５６に記載の方法。
（項目１６６）
外科手技後に前記溶液および使用のための指示を提供するステップをさらに含む、項目１５６に記載の方法。
（項目１６７）
自己組織化ペプチドを含む溶液を提供するステップが、前記気管支閉鎖をもたらすために生理的条件下でハイドロゲルバリアを形成するための有効濃度を有するペプチド溶液を調製するための指示を提供することを含む、項目１５６に記載の方法。
（項目１６８）
複数の自己組織化ペプチドから本質的になる肉眼で見える足場であって、前記自己組織化ペプチドのそれぞれが、気管支閉鎖をもたらすために肺の標的エリア内に配置することが可能な有効量の約７アミノ酸〜約３２アミノ酸を含む、肉眼で見える足場。
（項目１６９）
前記複数のペプチドのそれぞれが、（ＲＡＤＡ）４（配列番号１）、（ＩＥＩＫ）３Ｉ（配列番号２）、および（ＫＬＤＬ）３（配列番号３）のうちの１つを含む、項目１６８に記載の肉眼で見える足場。
（項目１７０）
約１０ナノメートル〜約２０ナノメートルの直径を有するナノファイバーを含む、項目１６９に記載の肉眼で見える足場。